(57)【要約】【課題】洗浄水の温度を詳細に制御でき、かつ小型の衛生洗浄装置を提供する。【解決手段】第１ヒータと、前記第１ヒータよりも高い抵抗値の第２ヒータと、を有し、給水源から供給された洗浄水を前記第１ヒータ及び前記第２ヒータのみによって加熱する洗浄水加熱部と、前記洗浄水加熱部を介して供給された洗浄水を噴出する噴出ノズルと、前記第１ヒータ及び前記第２ヒータに供給する電力を制御する制御部と、を備えたことを特徴とする衛生洗浄装置である。【選択図】図１
2018031201.tif 000002
【特許請求の範囲】
【請求項１】
第１ヒータと、前記第１ヒータよりも高い抵抗値の第２ヒータと、を有し、給水源から供給された洗浄水を前記第１ヒータ及び前記第２ヒータのみによって加熱する洗浄水加熱部と、
前記洗浄水加熱部を介して供給された洗浄水を噴出する噴出ノズルと、
前記第１ヒータ及び前記第２ヒータに供給する電力を制御する制御部と、
を備えたことを特徴とする衛生洗浄装置。
【請求項２】
前記制御部は、前記第１ヒータと前記第２ヒータそれぞれに、通電と非通電とを切り替える制御を実行することを特徴とする請求項１記載の衛生洗浄装置。
【請求項３】
前記制御部は、前記第１ヒータと前記第２ヒータとを、同時にパターン制御を実行することを特徴とする請求項１又は２に記載の衛生洗浄装置。
【請求項４】
前記制御部は、通電と非通電とを切り替えることによって供給する総電力を制御する通電制御を、前記第１ヒータ及び前記第２ヒータのそれぞれに対して同時に実行することを特徴とする請求項１〜３のいずれか１つに記載の衛生洗浄装置。
【請求項５】
前記制御部は、必要となる出力が、前記第２ヒータの定格容量よりも大きく、前記第１ヒータの定格容量以下の時に、前記第１ヒータ及び前記第２ヒータのそれぞれに対して同時に前記通電制御を実行することを特徴とする請求項４記載の衛生洗浄装置。
【請求項６】
前記制御部は、前記第１ヒータ及び前記第２ヒータの通電、非通電の電力変動の周期が前記第１ヒータと前記第２ヒータとの電力差分以下の電力変動になるように前記通電制御を実行することを特徴とする請求項４又は５に記載の衛生洗浄装置。
【請求項７】
前記第２ヒータの抵抗値は、前記第１ヒータの抵抗値の２倍以上２．５倍以下であることを特徴とする請求項１〜６のいずれか１つに記載の衛生洗浄装置。
【発明の詳細な説明】
【技術分野】
【０００１】
本発明の態様は、一般的に、衛生洗浄装置に関する。
【背景技術】
【０００２】
洗浄水を噴射することにより、人体局部の洗浄を行う衛生洗浄装置が知られている。衛生洗浄装置は、洗浄水を加熱する洗浄水加熱部を有し、人体局部に対して温水を噴射可能としている。
【０００３】
こうした衛生洗浄装置において、同じ抵抗値の３つ以上のヒータを洗浄水加熱部に設け、各ヒータへの通電を個別に制御することが行われている（例えば、特許文献１）。これにより、出力の大きい１つのヒータを設ける場合と比べて、洗浄水の温度をより細かく制御することができる。
【０００４】
しかしながら、多数のヒータを洗浄水加熱部に設けると、ヒータ数の増加にともなって、電線や通電を制御するためのスイッチなどの数も増加し、洗浄水加熱部の大型化や部品点数の増加にともなうコストアップなどを招いてしまう。このため、衛生洗浄装置では、大型化やコスト増を抑制しつつ、洗浄水の温度を詳細に制御できるようにすることが望まれる。
【先行技術文献】
【特許文献】
【０００５】
【特許文献１】特開２０１５−６９６９３号公報
【発明の概要】
【発明が解決しようとする課題】
【０００６】
本発明は、かかる課題の認識に基づいてなされたものであり、洗浄水の温度を詳細に制御でき、かつ小型の衛生洗浄装置を提供することを目的とする。
【課題を解決するための手段】
【０００７】
第１の発明は、第１ヒータと、前記第１ヒータよりも高い抵抗値の第２ヒータと、を有し、給水源から供給された洗浄水を前記第１ヒータ及び前記第２ヒータのみによって加熱する洗浄水加熱部と、前記洗浄水加熱部を介して供給された洗浄水を噴出する噴出ノズルと、前記第１ヒータ及び前記第２ヒータに供給する電力を制御する制御部と、を備えたことを特徴とする衛生洗浄装置である。
【０００８】
この衛生洗浄装置によれば、同じ抵抗値の３つ以上のヒータを設ける場合と同様に、洗浄水の温度を詳細に制御することができるとともに、同じ抵抗値の３つ以上のヒータを設ける場合と比べて、洗浄水加熱部の大型化やコスト増を抑制することができる。従って、洗浄水の温度を詳細に制御でき、かつ小型の衛生洗浄装置を提供することができる。
【０００９】
第２の発明は、第１の発明において、前記制御部は、前記第１ヒータと前記第２ヒータそれぞれに、通電と非通電とを切り替える制御を実行することを特徴とする衛生洗浄装置である。
【００１０】
この衛生洗浄装置によれば、洗浄水の温度をより詳細に制御することができる。
【００１１】
第３の発明は、第１又は第２の発明において、前記制御部は、前記第１ヒータと前記第２ヒータとを、同時にパターン制御を実行することを特徴とする衛生洗浄装置である。
【００１２】
この衛生洗浄装置によれば、洗浄水の温度をより詳細に制御することができる。
【００１３】
第４の発明は、第１〜第３のいずれか１つの発明において、前記制御部は、通電と非通電とを切り替えることによって供給する総電力を制御する通電制御を、前記第１ヒータ及び前記第２ヒータのそれぞれに対して同時に実行することを特徴とする衛生洗浄装置である。
【００１４】
この衛生洗浄装置によれば、さらに洗浄水の温度を詳細に制御することができる。
【００１５】
第５の発明は、第４の発明において、前記制御部は、必要となる出力が、前記第２ヒータの定格容量よりも大きく、前記第１ヒータの定格容量以下の時に、前記第１ヒータ及び前記第２ヒータのそれぞれに対して同時に前記通電制御を実行することを特徴とする衛生洗浄装置である。
【００１６】
この衛生洗浄装置によれば、洗浄水の温度を詳細に制御可能としつつ、電源の変動をより適切に抑制することができる。
【００１７】
第６の発明は、第４又は第５の発明において、前記制御部は、前記第１ヒータ及び前記第２ヒータの通電、非通電の電力変動の周期が前記第１ヒータと前記第２ヒータとの電力差分以下の電力変動になるように前記通電制御を実行することを特徴とする衛生洗浄装置である。
【００１８】
この衛生洗浄装置によれば、電源の変動をより抑制することができる。照明装置にチラツキが生じてしまうことを、より抑制することができる。
【００１９】
第７の発明は、第１〜第６のいずれか１つの発明において、前記第２ヒータの抵抗値は、前記第１ヒータの抵抗値の２倍以上２．５倍以下であることを特徴とする衛生洗浄装置である。
【００２０】
この衛生洗浄装置によれば、第１及び第２の２つのヒータのみで、洗浄水の温度をより詳細に制御することができる。
【発明の効果】
【００２１】
本発明の態様によれば、洗浄水の温度を詳細に制御でき、かつ小型の衛生洗浄装置が提供される。
【図面の簡単な説明】
【００２２】
【図１】実施形態に係る衛生洗浄装置の要部構成を表すブロック図である。
【図２】実施形態に係る衛生洗浄装置の一部を表す回路図である。
【図３】実施形態に係る衛生洗浄装置の制御部の動作の一例を表す説明図である。
【図４】図４（ａ）〜図４（ｈ）は、実施形態に係る衛生洗浄装置の制御部の動作の一例を表すグラフ図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、実施形態に係る衛生洗浄装置の要部構成を表すブロック図である。  
図１に表したように、衛生洗浄装置１００は、洗浄水加熱部４４０と、噴出ノズル４７３と、制御部４０５と、を備える。なお、図１では、衛生洗浄装置１００の水路系の要部構成と電気系の要部構成とを併せて表している。
【００２４】
洗浄水加熱部４４０は、第１ヒータ４４１と第２ヒータ４４２とを有する。第２ヒータ４４２の抵抗値は、第１ヒータ４４１の抵抗値よりも高い。洗浄水加熱部４４０は、給水源１０から供給された洗浄水を第１ヒータ４４１及び第２ヒータ４４２のみによって加熱する。
【００２５】
噴出ノズル４７３は、先端部に設けられた噴出口４７４を有する。噴出ノズル４７３は、洗浄水加熱部４４０を介して供給された洗浄水を噴出口４７４から噴出して、例えば図示しない便座に座った使用者の人体（例えば「おしり」など）を洗浄する。
【００２６】
例えば、図１に表したように、本実施形態にかかる衛生洗浄装置１００は、水道や貯水タンクなどの給水源１０から供給された水を噴出ノズル４７３の噴出口４７４に導く流路２０を有する。流路２０の上流側には、電磁弁４３１が設けられている。電磁弁４３１は、開閉可能な電磁バルブであり、制御部４０５からの指令に基づいて水の供給を制御する。つまり、電磁弁４３１は、給水源１０から供給される水の噴出ノズル４７３への給水と止水とを切り替える。
【００２７】
電磁弁４３１の下流には、洗浄水加熱部４４０が設けられている。洗浄水加熱部４４０は、第１ヒータ４４１及び第２ヒータ４４２により、給水源１０から供給された水を加熱して例えば規定の温度まで昇温させる。洗浄水加熱部４４０は、給水源１０から供給された水を、設定された温度の温水に変換する。
【００２８】
本実施形態の洗浄水加熱部４４０は、筒状形状のセラミックヒータなどを用いた瞬間加熱式（瞬間式）の熱交換器である。第１ヒータ４４１、第２ヒータ４４２は、セラミックヒータに設けられたヒータパターンである。使用者は、操作部５００を操作することにより温水温度を設定することができる。
【００２９】
洗浄水加熱部４４０の下流には、流量の調整を行う流量切替弁４７１と、噴出ノズル４７３やノズル洗浄室４７８への給水の開閉や給水先の切替を行う流路切替弁４７２と、が設けられている。流量切替弁４７１は、噴出ノズル４７３を流れる水の流量を調整する。流路切替弁４７２は、給水先（流路の接続先）を噴出ノズル４７３およびノズル洗浄室４７８のいずれかに切り替えることができる。流量切替弁４７１および流路切替弁４７２は、１つのユニットとして設けられていてもよい。
【００３０】
流量切替弁４７１および流路切替弁４７２の下流には、噴出ノズル４７３が設けられている。噴出ノズル４７３は、ノズルモータ４７６からの駆動力を受け、便器のボウル内に進出したり、ケーシングの内部に後退することができる。つまり、ノズルモータ４７６は、制御部４０５からの指令に基づいて噴出ノズル４７３を進退させることができる。
【００３１】
ノズル洗浄室４７８は、その内部に設けられた図示しない吐水部から殺菌水あるいは水を噴射することにより、噴出ノズル４７３の外周表面（胴体）を殺菌あるいは洗浄することができる。あるいは、ノズル洗浄室４７８は、収納された状態の噴出ノズル４７３の噴出口４７４の部分を殺菌あるいは洗浄することができる。
【００３２】
制御部４０５は、電源回路４０１を介して供給電源３０から電力を供給され、操作部５００などからの信号に基づいて電磁弁４３１や、洗浄水加熱部４４０や、流量切替弁４７１や、流路切替弁４７２や、ノズルモータ４７６の動作を制御することができる。例えば、制御部４０５は、供給電源３０から洗浄水加熱部４４０の第１ヒータ４４１及び第２ヒータ４４２に供給する電力を制御する。
【００３３】
供給電源３０は、例えば、交流電源である。供給電源３０は、例えば、ＡＣ１００Ｖ（実効値）の商用電源である。電源回路４０１は、供給電源３０から供給された交流電力を直流電力に変換し、変換後の直流電力を制御部４０５に供給する。一方、電源回路４０１は、洗浄水加熱部４４０の第１ヒータ４４１及び第２ヒータ４４２には、交流電力を供給する。
【００３４】
図２は、実施形態に係る衛生洗浄装置の一部を表す回路図である。  
図２に表したように、電源回路４０１は、一対の入力端子４０１ａ、４０１ｂと、一対の出力端子４０１ｃ、４０１ｄと、を有する。電源回路４０１は、例えば、入力端子４０１ａ、４０１ｂから入力された交流電力を出力端子４０１ｃ、４０１ｄからそのまま出力する。電源回路４０１は、例えば、電圧変換などを行い、変換後の交流電力を出力端子４０１ｃ、４０１ｄから出力してもよい。
【００３５】
衛生洗浄装置１００は、制御基板４５０と、温度ヒューズ４５４と、をさらに備える。制御基板４５０は、第１スイッチング素子４５１と、第２スイッチング素子４５２と、を有する。制御基板４５０及び温度ヒューズ４５４は、洗浄水加熱部４４０に設けてもよいし、洗浄水加熱部４４０とは別に設けてもよい。
【００３６】
第１スイッチング素子４５１及び第２スイッチング素子４５２は、例えば、一対の主端子と制御端子とを有し、制御端子に入力される信号により、一対の主端子間に流れる電流のオン・オフを切り替える。第１スイッチング素子４５１及び第２スイッチング素子４５２には、例えば、トライアックが用いられる。第１スイッチング素子４５１及び第２スイッチング素子４５２は、例えば、電流のオン・オフを制御でき、かつ電流を双方向に流すことができる任意の素子でよい。第１スイッチング素子４５１及び第２スイッチング素子４５２は、例えば、機械式のリレーなどでもよいし、複数の半導体スイッチなどを組み合わせて構成してもよい。
【００３７】
第１ヒータ４４１及び第２ヒータ４４２は、例えば、一対の端子間に電流を流すことによって発熱する。第１ヒータ４４１及び第２ヒータ４４２は、例えば、抵抗体である。
【００３８】
洗浄水加熱部４４０の定格容量は、第１ヒータ４４１の定格容量と第２ヒータ４４２の定格容量との和で求められる。洗浄水加熱部４４０の定格容量は、例えば、１２００Ｗである。この場合、第２ヒータ４４２の定格容量は、例えば、３５０Ｗ以上４００Ｗ以下である。第１ヒータ４４１の定格容量は、例えば、８００Ｗ以上８５０Ｗ以下である。このように、第１ヒータ４４１及び第２ヒータ４４２の定格容量は、約１：２に設定される。第２ヒータ４４２の抵抗値は、例えば、第１ヒータ４４１の抵抗値の２倍以上２．５倍以下に設定される。これにより、例えば、第１スイッチング素子４５１の耐圧の増加を抑制することができる。例えば、第１スイッチング素子４５１と第２スイッチング素子４５２とに実質的に同じ素子を用いることができる。
【００３９】
温度ヒューズ４５４の一端は、電源回路４０１の出力端子４０１ｃに接続されている。温度ヒューズ４５４の他端は、第１ヒータ４４１の一端、及び第２ヒータ４４２の一端に接続されている。このように、第１ヒータ４４１及び第２ヒータ４４２は、温度ヒューズ４５４を介して電源回路４０１の出力端子４０１ｃに接続される。第１ヒータ４４１及び第２ヒータ４４２は、電源回路４０１の出力端子４０１ｃに対して並列に接続される。
【００４０】
温度ヒューズ４５４は、洗浄水加熱部４４０の温度が所定の温度以上になった場合に、電源回路４０１と各ヒータ４４１、４４２との間の経路を開放し、各ヒータ４４１、４４２への電力供給を遮断する。これにより、温度ヒューズ４５４は、洗浄水加熱部４４０が所定の温度以上に発熱することを抑制する。温度ヒューズ４５４は、例えば、洗浄水加熱部４４０の空焚きを抑制する。
【００４１】
第１ヒータ４４１の他端は、第１スイッチング素子４５１の一方の主端子に接続されている。第２ヒータ４４２の他端は、第２スイッチング素子４５２の一方の主端子に接続されている。
【００４２】
第１スイッチング素子４５１の他方の主端子は、電源回路４０１の出力端子４０１ｄに接続されている。第２スイッチング素子４５２の他方の主端子は、電源回路４０１の出力端子４０１ｄに接続されている。
【００４３】
これにより、第１スイッチング素子４５１をオン状態にすることで、第１ヒータ４４１に電流が流れ、第１ヒータ４４１が発熱する。同様に、第２スイッチング素子４５２をオン状態にすることで、第２ヒータ４４２に電流が流れ、第２ヒータ４４２が発熱する。
【００４４】
第１スイッチング素子４５１及び第２スイッチング素子４５２のそれぞれの制御端子は、制御部４０５に接続されている。制御部４０５は、第１スイッチング素子４５１及び第２スイッチング素子４５２のオン・オフを制御する。第１スイッチング素子４５１及び第２スイッチング素子４５２にトライアックが用いられている場合、制御部４０５は、より詳しくは、第１スイッチング素子４５１及び第２スイッチング素子４５２のオンタイミングを制御する。制御部４０５は、第１スイッチング素子４５１及び第２スイッチング素子４５２のオン・オフにより、第１ヒータ４４１及び第２ヒータ４４２への電力供給を個別に制御する。
【００４５】
図３は、実施形態に係る衛生洗浄装置の制御部の動作の一例を表す説明図である。  
制御部４０５は、第１ヒータ４４１及び第２ヒータ４４２に対し、通電と非通電とを切り替えることによって供給する総電力を制御する通電制御を実行する。制御部４０５は、図３に表したように、例えば、１６半波を１単位とするパターン制御方式を通電制御として実行する。
【００４６】
「パターン制御方式」とは、供給電源３０の正弦波に対する半波を１単位とし、この半波単位で第１ヒータ４４１及び第２ヒータ４４２への通電と非通電とを制御し、半波単位を複数組み合わせて総電力を制御する方式である。
【００４７】
制御部４０５は、第１ヒータ４４１及び第２ヒータ４４２へ通電しない場合には、出力山数が０／１６の通電パターンを選択する。制御部４０５は、第１ヒータ４４１及び第２ヒータ４４２へ通電し、総電力を増加させる場合には、出力山数（出力する半波の数）が１／１６、２／１６、３／１６、・・・、１６／１６の通電パターンを必要な熱量に応じて選択する。これにより、洗浄水加熱部４４０において、洗浄水の温度を詳細に制御することができる。
【００４８】
図３では、塗り潰した部分が、第１ヒータ４４１又は第２ヒータ４４２に出力する半波を表している。図３では、出力山数が２／１６の時、及び３／１６の時において、出力する半波を連続させているが、出力する半波は、所定の間隔を空けて配置してもよい。
【００４９】
なお、パターン制御方式において１単位とする半波の数は、１６に限ることなく、任意の数でよい。また、第１ヒータ４４１及び第２ヒータ４４２に対して実行する通電制御は、パターン制御方式に限ることなく、例えば、位相制御方式などでもよい。「位相制御方式」とは、必要な熱量に応じて導通角を制御する方式である。
【００５０】
なお、第１ヒータ４４１よりも抵抗値の高い第２ヒータ４４２において、第１ヒータ４４１にパターン制御、第２ヒータ４４２に位相制御を実施してもよい。位相制御は必要な熱量が高い導通角から熱量が低い導通角へ制御する場合は、電源変動が大きくなるため電源ノイズが発生する。抵抗値に差を設け、抵抗値の高い側のみの位相制御は、電力容量が小さいため、電源変動が小さく、電源ノイズも起きにくい。
【００５１】
図４（ａ）〜図４（ｈ）は、実施形態に係る衛生洗浄装置の制御部の動作の一例を表すグラフ図である。  
図４（ａ）は、低出力帯における第２ヒータ４４２のパターン制御の一例を表す。
【００５２】
図４（ｂ）は、低出力帯における第１ヒータ４４１のパターン制御の一例を表す。
【００５３】
図４（ｃ）は、中出力帯における第２ヒータ４４２のパターン制御の一例を表す。
【００５４】
図４（ｄ）は、中出力帯における第１ヒータ４４１のパターン制御の一例を表す。
【００５５】
図４（ｅ）は、中出力帯における第１ヒータ４４１及び第２ヒータ４４２の合計出力の一例を表す。  
図４（ｆ）は、高出力帯における第２ヒータ４４２のパターン制御の一例を表す。
【００５６】
図４（ｇ）は、高出力帯における第１ヒータ４４１のパターン制御の一例を表す。
【００５７】
図４（ｈ）は、高出力帯における第１ヒータ４４１及び第２ヒータ４４２の合計出力の一例を表す。
【００５８】
ここで、低出力帯とは、例えば、必要となる出力が、第２ヒータ４４２の定格容量以下の範囲である。中出力帯とは、例えば、必要となる出力が、第２ヒータ４４２の定格容量よりも大きく、第１ヒータ４４１の定格容量以下の範囲である。高出力帯とは、例えば、必要となる出力が、第１ヒータ４４１の定格容量よりも大きく、第１ヒータ４４１の定格容量と第２ヒータ４４２の定格容量との合計の容量以下の範囲である。低出力帯は、例えば、３５０Ｗ以下の範囲である。中出力帯は、例えば、３５０Ｗよりも大きく８５０Ｗ以下の範囲である。高出力帯は、例えば、８５０Ｗよりも大きく１２００Ｗ以下の範囲である。
【００５９】
図４（ａ）及び図４（ｂ）に表したように、制御部４０５は、低出力帯においては、第１ヒータ４４１をフルオフ（０／１６の通電パターン）に設定し、第２ヒータ４４２のみに対してパターン制御を実行する。この場合、第１ヒータ４４１と第２ヒータ４４２との合計の出力（洗浄水加熱部４４０の出力）は、第２ヒータ４４２の出力と実質的に同じである。
【００６０】
図４（ｃ）〜図４（ｅ）に表したように、制御部４０５は、中出力帯においては、第１ヒータ４４１及び第２ヒータ４４２のそれぞれに対して同時にパターン制御を実行する。
【００６１】
そして、図４（ｆ）〜図４（ｈ）に表したように、制御部４０５は、高出力帯においては、第１ヒータ４４１をフルオン（１６／１６の通電パターン）に設定し、第２ヒータ４４２のみに対してパターン制御を実行する。これにより、低出力帯から高出力帯までの範囲において、洗浄水加熱部４４０の出力を詳細に制御することができる。すなわち、洗浄水の温度を詳細に制御することができる。
【００６２】
パターン制御方式の通電制御には、使用不可能な出力山数がある。使用不可能な出力山数では、通電と非通電との切り替えにより、電源の変動が比較的大きくなる。このため、使用不可能な出力山数でパターン制御を行うと、例えば、供給電源３０に衛生洗浄装置１００と共通に接続された照明装置において、チラツキが生じてしまう可能性がある。
【００６３】
従って、制御部４０５は、予め決められた使用可能な出力山数を用いて、第１ヒータ４４１及び第２ヒータ４４２のパターン制御を行う。これにより、洗浄水の温度を詳細に制御しつつ、電源の変動を抑制することができる。例えば、照明装置にチラツキが生じてしまうことを抑制することができる。
【００６４】
また、使用不可能な出力山数とヒータの定格容量との間には、相関があり、ヒータの定格容量が大きくなるほど、使用不可能な出力山数が増える。従って、衛生洗浄装置１００では、第１ヒータ４４１の抵抗値を第２ヒータ４４２の抵抗値よりも低くする。これにより、２つのヒータ４４１、４４２で温度制御を行う場合に、２つのヒータ４４１、４４２の定格容量を同じとする場合よりも、温度制御の分解能を高めることができる。
【００６５】
例えば、各ヒータ４４１、４４２の定格容量を６００Ｗとした場合、１半波当たりの出力は、３７．５Ｗである。一方、第２ヒータ４４２の定格容量を３５０Ｗとし、第１ヒータ４４１の定格容量を８５０Ｗとした場合、第２ヒータ４４２の１半波当たりの出力は、２１．８７５Ｗである。このように、２つのヒータ４４１、４４２の定格容量を異ならせることにより、温度制御の分解能を高め、洗浄水の温度をより詳細に制御することができる。
【００６６】
例えば、４００Ｗのヒータを３つ設けた場合、１つのヒータの１半波当たりの出力は、２５Ｗである。従って、第２ヒータ４４２の定格容量を３５０Ｗとした場合には、ヒータの数を２つのみとした場合においても、３つ以上のヒータを設けた場合と同等以上の分解能を得ることができる。
【００６７】
また、衛生洗浄装置１００では、第１ヒータ４４１の抵抗値と第２ヒータ４４２の抵抗値とを約１：２に設定する。これにより、第１ヒータ４４１の定格容量が過度に大きくなってしまうことを抑制することができる。第１ヒータ４４１において使用不可能な出力山数が増えてしまうことを抑制することができる。第１ヒータ４４１で使用可能な出力山数と、第２ヒータ４４２で使用可能な出力山数と、をバランスさせ、洗浄水の温度制御性をより高めることができる。さらには、前述のように、第１スイッチング素子４５１の耐圧の増加を抑制し、第１スイッチング素子４５１と第２スイッチング素子４５２とに実質的に同じ素子を用いることができる。例えば、第２スイッチング素子４５２の大型化やコスト増などを抑制することができる。
【００６８】
また、制御部４０５は、中出力帯において第１ヒータ４４１及び第２ヒータ４４２のそれぞれに対して同時にパターン制御を実行する場合、図４（ｃ）〜図４（ｅ）に表したように、第２ヒータ４４２に電力を供給した半波の次の半波で第１ヒータ４４１に電力を供給する。すなわち、制御部４０５は、第１ヒータ４４１及び第２ヒータ４４２の通電、非通電の電力変動の周期が第１ヒータ４４１と第２ヒータ４４２との電力差分以下の電力変動になるように通電制御を実行する。この例では、第１ヒータ４４１に電力を供給した時の電力変動を、３５０Ｗから８５０Ｗへの５００Ｗの変動に抑えることができる。これにより、第１ヒータ４４１に電力を供給した時に洗浄水加熱部４４０に流れる第１ヒータ４４１と第２ヒータ４４２の電流の変動幅を抑えることができる。供給電源３０の電圧変動や、供給電源３０に接続された照明装置のチラツキの発生などをより抑制することができる。
【００６９】
以上説明したように、本実施形態に係る衛生洗浄装置１００では、ヒータの数を２つのみとした場合にも、同じ抵抗値の３つ以上のヒータを設ける場合と同様に、洗浄水の温度を詳細に制御することができるとともに、同じ抵抗値の３つ以上のヒータを設ける場合と比べて、洗浄水加熱部４４０の大型化やコスト増を抑制することができる。
【００７０】
また、制御部４０５は、第１ヒータ４４１と第２ヒータ４４２それぞれに、通電と非通電とを切り替える制御を実行する。これにより、洗浄水の温度をより詳細に制御することができる。
【００７１】
また、制御部４０５は、第１ヒータ４４１と第２ヒータ４４２とを、同時にパターン制御を実行する。これにより、洗浄水の温度をより詳細に制御することができる。
【００７２】
また、ヒータの通電・非通電を切り替えるスイッチング素子の数などを削減することもできる。発熱体であるスイッチング素子には、金属製のヒートシンクなどの放熱体を設ける必要がある。スイッチング素子を削減することにより、こうした放熱体なども削減することができる。このように、ヒータの数を２つのみとすることは、衛生洗浄装置１００の小型化及びコスト削減に大きく寄与する。従って、洗浄水の温度を詳細に制御でき、かつ小型の衛生洗浄装置１００を提供することができる。
【００７３】
また、衛生洗浄装置１００では、第１ヒータ４４１及び第２ヒータ４４２のそれぞれに対して同時に通電制御を実行する。これにより、洗浄水の温度をより詳細に制御することができる。また、第１ヒータ４４１と第２ヒータ４４２の通電時と非通電時にともなう電源の変動を抑制することができる。例えば、第２ヒータ４４２への通電にともなって照明装置にチラツキ（フリッカ）が生じてしまうことを抑制することができる。
【００７４】
また、衛生洗浄装置１００では、中出力帯の時に、第１ヒータ４４１及び第２ヒータ４４２のそれぞれに対して同時に通電制御を実行する。これにより、洗浄水の温度を詳細に制御可能としつつ、電源の変動をより適切に抑制することができる。
【００７５】
また、制御部４０５は、第１ヒータ４４１及び第２ヒータ４４２の通電、非通電の電力変動の周期が第１ヒータ４４１と第２ヒータ４４２との電力差分以下の電力変動になるように通電制御を実行する。これにより、電源の変動をより抑制することができる。照明装置にチラツキが生じてしまうことを、より抑制することができる。
【００７６】
また、衛生洗浄装置１００では、第２ヒータ４４２の抵抗値を、第１ヒータ４４１の抵抗値の２倍以上２．５倍以下にする。これにより、第１及び第２の２つのヒータ４４１、４４２のみで、洗浄水の温度をより詳細に制御することができる。
【００７７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１０ 給水源、  ２０ 流路、  ３０ 供給電源、  １００ 衛生洗浄装置、  ４０１ 電源回路、  ４０５ 制御部、  ４３１ 電磁弁、  ４４０ 洗浄水加熱部、  ４４１ 第１ヒータ、  ４４２ 第２ヒータ、  ４５０ 制御基板、  ４５１ 第１スイッチング素子、  ４５２ 第２スイッチング素子、  ４５４ 温度ヒューズ、  ４７１ 流量切替弁、  ４７２ 流路切替弁、  ４７３ 噴出ノズル、  ４７４ 噴出口、  ４７６ ノズルモータ、  ４７８ ノズル洗浄室、  ５００ 操作部
【図１】
2018031201.tif 000003
【図２】
2018031201.tif 000004
【図３】
2018031201.tif 000005
【図４】
2018031201.tif 000006